(57)【要約】      （修正有）【課題】冷凍庫、オーブンレンジ内での使用が可能であるとともに、重ね状態からの取り外しが容易に行われ、また、取り外しの際に手に吸着することがないことで取り扱い性に優れ、さらに、埃等の付着が少ない使い捨てカップを提供する。【解決手段】シート基材が型成形によりカップ形態とされた使い捨てカップ１において、シート基材が、外面に印刷層７が設けられた内側ＰＥＴ樹脂フィルム８の外面に、帯電防止機能２０を持つ外側ＰＥＴ樹脂９フィルムが貼り付けられた構成とされたもの。【選択図】図２
0003145942.tif 000002
【実用新案登録請求の範囲】
【請求項１】
シート基材が型成形によりカップ形態とされた使い捨てカップにおいて、
前記シート基材が、外面に印刷層が設けられた内側ポリエチレンテレフタレート樹脂フィルムの外面に、帯電防止機能を有する外側ポリエチレンテレフタレート樹脂フィルムが貼り付けられた構成とされてなることを特徴とする使い捨てカップ。
【請求項２】
シート基材が型成形によりカップ形態とされた使い捨てカップにおいて、
前記シート基材が、内側ポリエチレンテレフタレート樹脂フィルムの外面に、内面に印刷層が設けられるとともに帯電防止機能を有する外側ポリエチレンテレフタレート樹脂フィルムが貼り付けられた構成とされてなることを特徴とする使い捨てカップ。
【請求項３】
シート基材が型成形によりカップ形態とされた使い捨てカップにおいて、
前記シート基材が、外面に印刷層が設けられるとともに帯電防止機能を有する内側ポリエチレンテレフタレート樹脂フィルムの外面に、外側ポリエチレンテレフタレート樹脂フィルムが貼り付けられた構成とされてなることを特徴とする使い捨てカップ。
【請求項４】
シート基材が型成形によりカップ形態とされた使い捨てカップにおいて、
前記シート基材が、帯電防止機能を有する内側ポリエチレンテレフタレート樹脂フィルムの外面に、内面に印刷層が設けられた外側ポリエチレンテレフタレート樹脂フィルムが貼り付けられた構成とされてなることを特徴とする使い捨てカップ。
【請求項５】
シート基材が型成形によりカップ形態とされた使い捨てカップにおいて、
前記シート基材が、外面に印刷層が設けられるとともに帯電防止機能を有する内側ポリエチレンテレフタレート樹脂フィルムの外面に、帯電防止機能を有する外側ポリエチレンテレフタレート樹脂フィルムが貼り付けられた構成とされてなることを特徴とする使い捨てカップ。
【請求項６】
シート基材が型成形によりカップ形態とされた使い捨てカップにおいて、
前記シート基材が、帯電防止機能を有する内側ポリエチレンテレフタレート樹脂フィルムの外面に、内面に印刷層が設けられるとともに帯電防止機能を有する外側ポリエチレンテレフタレート樹脂フィルムが貼り付けられた構成とされてなることを特徴とする使い捨てカップ。
【請求項７】
前記帯電防止機能が帯電防止剤のコーティング層により果たされ、かつ、そのコーティング層が前記樹脂フィルムそれぞれの互いの貼り付け面側と異なる面側に配置されてなることを特徴とする請求項１〜６記載の使い捨てカップ。
【考案の詳細な説明】
【技術分野】
【０００１】  この考案は、シート基材が型成形によりカップ形態とされたもので、弁当箱内におかずを区分けして入れるように用いたり、また、小さな菓子等を入れるように用いる使い捨てカップに関する。
【背景技術】
【０００２】  上記の使い捨てカップは通常２層構成とされている。これは、模様印刷が直接食品に触れることがないように下層のフィルム面に設けた模様印刷を上層のフィルムやオーバーコート層により覆うことによる。一方最近においては、冷凍庫、オーブンレンジ内での使用が行えるように広い温度範囲において使用可能な使い捨てカップの開発が進められている。このような観点において、ポリエチレンテレフタレート（以下ＰＥＴとする）樹脂フィルムの２層構造の使い捨てカップが提供されている。
【考案の開示】
【考案が解決しようとする課題】
【０００３】  しかしながら、この種使い捨てカップには使用に際し、次に説明するように取り扱いが行いにくいという問題がある。すなわち、使い捨てカップは多数枚のシート基材が型成形によりカップ形態とされることにより得られ、その重ねられた状態において、弁当製造業者や一般の使用者等に提供される。したがって、使用時に重ね状態のカップを取り外す必要があるが、カップが互いに密着していて取り外しにくかったり、また、取り外したカップが手に吸着する場合がある。上記カップどうしの密着は、カップ製造時、また、その後のカップの互いの接触により発生する静電気がカップに帯電することが原因と考えられ、手への吸着は密着するカップを引き離す際に発生する静電気がカップに帯電することによると考えられる。さらに、静電気が帯電することでカップに埃等が付着しやすい問題もある。【０００４】  この考案は上記の事情に鑑みて行ったもので、冷凍庫、オーブンレンジ内での使用が可能であるとともに、重ね状態からの取り外しが容易に行われ、また、取り外しの際に手に吸着することがない取り扱い性に優れる使い捨てカップの提供を目的とする。さらに、埃等の付着が少ない使い捨てカップの提供を目的とする。【０００５】  この考案では、シート基材が型成形によりカップ形態とされた使い捨てカップにおいて、前記シート基材が、外面に印刷層が設けられた内側ＰＥＴ樹脂フィルムの外面に、帯電防止機能を持つ外側ＰＥＴ樹脂フィルムが貼り付けられた構成とされてなるもの（請求項１）、前記シート基材が、内側ＰＥＴ樹脂フィルムの外面に、内面に印刷層が設けられるとともに帯電防止機能を持つ外側ＰＥＴ樹脂フィルムが貼り付けられた構成とされてなるもの（請求項２）、前記シート基材が、外面に印刷層が設けられるとともに帯電防止機能を持つ内側ＰＥＴ樹脂フィルムの外面に、外側ＰＥＴ樹脂フィルムが貼り付けられた構成とされてなるもの（請求項３）、前記シート基材が、帯電防止機能を持つ内側ＰＥＴ樹脂フィルムの外面に、内面に印刷層が設けられた外側ＰＥＴ樹脂フィルムが貼り付けられた構成とされてなるもの（請求項４）、前記シート基材が、外面に印刷層が設けられるとともに帯電防止機能を持つ内側ＰＥＴ樹脂フィルムの外面に、帯電防止機能を持つ外側ＰＥＴ樹脂フィルムが貼り付けられた構成とされてなるもの（請求項５）、前記シート基材が、帯電防止機能を持つ内側ＰＥＴ樹脂フィルムの外面に、内面に印刷層が設けられるとともに帯電防止機能を持つ外側ＰＥＴ樹脂フィルムが貼り付けられた構成とされてなるもの（請求項６）を提供する。【０００６】  上記構成の使い捨てカップそれぞれは、内側及び又は外側のＰＥＴ樹脂フィルムが帯電防止機能を持つことで静電気がカップに帯電することを抑制し、これにより、静電気発生に伴う使い捨てカップどうしの密着や、使い捨てカップの手等への吸着が防止され、また、埃等の付着も防止される。【０００７】  上記帯電防止機能は、例えば、帯電防止剤のコーティング層を設けることで付加される。そのコーティング層が樹脂フィルムそれぞれの互いの貼り付け面側と異なる面側に配置されることで、帯電防止剤による樹脂フィルムどうしの接着不良の恐れが解消される。【０００８��  この考案の使い捨てカップは、型成形によりカップ形状を呈するものであれば、その平面形状は円形、楕円形、四角形、三角形等適宜の形態であってよい。
【考案の効果】
【０００９】  この考案によれば、冷凍庫、オーブンレンジ内での使用が可能であるとともに、重ね状態からの取り外しが容易に行われ、また、取り外しの際に手に吸着することがない、取り扱い性に優れる使い捨てカップが得られる。さらに、埃等の付着の少ない使い捨てカップが得られる。
【考案を実施するための最良の形態】
【００１０】  図１はこの考案の使い捨てカップの第１の実施形態の外観斜視図、図２は同部分拡大断面図である。【００１１】  使い捨てカップ１は、縦方向に複数本の折り込み部３が並設されたロート状に開く周壁部２と、その下部に連続一体の略円形の底部４とからなり、全体が一枚の円形の基材シート５よりなる。使い捨てカップ１の製造は、多数枚重ねられた基材シート５が型内に納められ加熱成形されることで行われる。【００１２】  上記基材シート５としては、図２の断面図に示すように、外面に印刷層７が付された１２μ厚さ程度の内側ＰＥＴ樹脂フィルム８の外面に、外面に帯電防止剤よりなるコーティング層２０が付された１２μ厚さ程度の外側ＰＥＴ樹脂フィルム９が、接着剤１０により貼り付けられたものが用いられている。印刷層７が、例えば全体が緑色とされることで、ＰＥＴ樹脂フィルム８、９、接着剤１０、コーティング層２０がともに透明であるので使い捨てカップ１は全体外観が緑色となる。印刷層７は適宜模様を持つものとされてもよい。この印刷層７は内側ＰＥＴ樹脂フィルム８に完全に覆われることで、使い捨てカップ１内に入れた食品に接触することはない。また、この使い捨てカップ１は、２枚のＰＥＴ樹脂フィルム８，９よりなる基材シート５よりなることで、冷凍庫、オーブンレンジ内での使用が支障なく行える。【００１３】  重ね状態の上記使い捨てカップ１において１個のものを取り外す際、従来のもの（帯電防止剤を混入しない２枚のＰＥＴ樹脂フィルムを重ね形成したもの）に比して、使い捨てカップ１どうしの密着がほとんどなかった。また、取り外した使い捨てカップ１が手に吸着することもほとんどなかった。さらに、使い捨てカップ１への埃等の付着もほとんどなかった。これらは、外側ＰＥＴ樹脂フィルム９が、帯電防止剤よりなるコーティング層２０を備えることで静電気がほとんど帯電していないことに起因すると考えられる。【００１４】  図３、図４、図５、図６、図７のそれぞれは、第２、第３、第４、第５、第６の実施形態それぞれの部分拡大断面図である。なお、第２、第３、第４、第５、第６の実施形態のものの外観は第１の実施形態と同様であるので、それらの図示は省略する。【００１５】  図３の第２の実施形態の使い捨てカップ１は、内側ＰＥＴ樹脂フィルム８の外面に、内面に印刷層７が設けられるとともに外面に帯電防止剤よりなるコーティング層２０が付された外側ＰＥＴ樹脂フィルム９が貼り付けられた構成とされている。【００１６】  図４の第３の実施形態の使い捨てカップ１は、外面に印刷層７が設けられるとともに内面に帯電防止剤よりなるコーティング層２０が付された内側ＰＥＴ樹脂フィルム８の外面に、外側ＰＥＴ樹脂フィルム９が貼り付けられた構成とされている。【００１７】  図５の第４の実施形態の使い捨てカップ１は、内面に帯電防止剤よりなるコーティング層２０が付された内側ＰＥＴ樹脂フィルム８の外面に、内面に印刷層７が設けられた外側ＰＥＴ樹脂フィルム９が貼り付けられた構成とされている。【００１８】  図６の第５の実施形態の使い捨てカップ１は、外面に印刷層７が設けられるとともに内面に帯電防止剤よりなるコーティング層２０が付された内側ＰＥＴ樹脂フィルム８の外面��、外面に帯電防止剤よりなるコーティング層２０が付された外側ＰＥＴ樹脂フィルム９が貼り付けられた構成とされている。【００１９】  図７の第６の実施形態の使い捨てカップ１は、内面に帯電防止剤よりなるコーティング層２０が付された内側ＰＥＴ樹脂フィルム８の外面に、内面に印刷層７が設けられるとともに外面に帯電防止剤よりなるコーティング層２０が付された外側ＰＥＴ樹脂フィルム９が貼り付けられた構成とされている。【００２０】  上記他の実施形態それぞれのものにおいても、使用に際して重ね状態のものにおいて１個の使い捨てカップ１を取り外す際、従来のものに比して、使い捨てカップ１どうしの密着がほとんどなく、また、取り外した使い捨てカップ１が手に吸着することもほとんどないことが確認された。さらに、使い捨てカップ１への埃等の付着もほとんどなかった。
【図面の簡単な説明】
【００２１】
【図１】  請求項１の考案の使い捨てカップの実施形態の外観斜視図
【図２】  請求項１の考案の使い捨てカップの部分拡大断面図
【図３】  請求項２の考案の使い捨てカップの部分拡大断面図
【図４】  請求項３の考案の使い捨てカップの部分拡大断面図
【図５】  請求項４の考案の使い捨てカップの部分拡大断面図
【図６】  請求項５の考案の使い捨てカップの部分拡大断面図
【図７】  請求項６の考案の使い捨てカップの部分拡大断面図
【符号の説明】
【００２２】  １    使い捨てカップ
５    基材シート
７    印刷層
８    内側ＰＥＴ樹脂フィルム
９    外側ＰＥＴ樹脂フィルム
２０  帯電防止剤のコーティング層
【図１】
0003145942.tif 000003
【図２】
0003145942.tif 000004
【図３】
0003145942.tif 000005
【図４】
0003145942.tif 000006
【図５】
0003145942.tif 000007
【図６】
0003145942.tif 000008
【図７】
0003145942.tif 000009